(57)【要約】【課題】設置が簡単容易で、施工費を安くできると共に、手摺りの外観形状に独自性を発揮させることができの手摺りを提供する。【解決手段】ベランダなどの堰壁１１上に立設される複数の手摺支柱１と、各手摺支柱１の上端に亘って横架される手摺り笠木２とによって手摺り本体３を形成し、手摺り本体３には各手摺支柱１の側面の上部及び下部に亘って夫々一連の上部取付枠４及び下部取付枠５を並設し、これら上部及び下部取付枠４，５に、一定の幅寸法に形成した面格子ユニット６，７及び面板ユニット８，９，１０を外付け式に取り付ける。【選択図】図１
2010090558.tif 000002
【特許請求の範囲】
【請求項１】
ベランダなどの堰壁上に立設される複数の手摺支柱と、各手摺支柱の上端に亘って横架される手摺り笠木とによって手摺り本体を形成し、この手摺り本体には各手摺支柱の側面の上部及び下部に亘って夫々一連の上部取付枠及び下部取付枠を並設し、これら上部及び下部取付枠に、一定の幅寸法に形成した面格子ユニット及び又は面板ユニットを外付け式に取り付けるようにしてなる手摺り。
【請求項２】
各ユニットは、手摺り本体側に上部取付枠及び下部取付枠としての上部溝枠及び下部溝枠を並設し、当該ユニットの内側面の上部及び下部に夫々取り付けた掛止部材を、手摺り本体側の上部溝枠及び下部溝枠に検鈍式に掛止させることによって、上部取付枠及び下部取付枠に外付け式に取り付けられるようになっている請求項１に記載の手摺り。
【請求項３】
各ユニットは、手摺り本体側に上部取付枠及び下部取付枠としての上部ガイドレール及び下部ガイドレールを並設し、各ガイドレールには複数のスライド部材を回転不能でスライド可能に収納すると共に、各スライド部材に一体的に取り付けたボルトを屋外側に突出しておいて、当該ユニットの上部及び下部に夫々設けたボルト挿通孔に各スライド部材のボルトを挿通してナットで締め付けることにより、上部取付枠及び下部取付枠に外付け式に取り付けられるようになっている請求項１に記載の手摺り。
【請求項４】
各ユニットは、手摺り本体側に上部取付枠及び下部取付枠としての上部ガイドレール及び下部ガイドレールを並設し、当該ユニットの内側面の上部及び下部に夫々少なくとも２つずつ設けた駒片を、ガイドレールに転動自在又は摺動自在に嵌め込むことにより、上部取付枠及び下部取付枠に外付け式に取り付けられるようになっている請求項１に記載の手摺り。
【請求項５】
手摺り本体の各手摺支柱の内側面の上部及び下部に亘って夫々一連のガイドレールを並設する一方、手摺り本体の手摺り笠木と天井部との間の開口部を部分的に遮蔽する遮蔽手段を有する可動枠体を一つ又は複数設け、可動枠体には、手摺り側の上下両ガイドレールに対し夫々転動自在又は摺動自在に嵌合支持される駒片を、下部側とその上部側とに夫々少なくとも２つずつ設け、これらの駒片を介して可動枠体を上下両ガイドレールに沿って移動自在としてなる請求項１〜４の何れかに記載の手摺り。
【発明の詳細な説明】
【技術分野】
【０００１】
本発明は、建物のベランダ、バルコニー、外廊下（以下「ベランダなど」という）の堰壁上に設置される手摺りに関する。
【背景技術】
【０００２】
従来技術として、特許公報などの公知文献を具体的に挙げることはできないが、従来のの手摺りのほとんどは、ベランダなどの堰壁上に複数の手摺支柱を立設し、これら手摺支柱の上端に亘って手摺り笠木を横架すると共に、手摺支柱間に下横枠を介装連結し、この下横枠と手摺り笠木との間に多数本の縦桟（手摺り子）を所定間隔に配設することにより設置される。
【発明の開示】
【発明が解決しようとする課題】
【０００３】
上記のような従来の手摺りでは、設置するのに手間がかかって施工費が高くつく上に、手摺りの外観形状が画一的になる、といったような課題があった。
【０００４】
本発明は、上記の課題に鑑み、設置が簡単容易で、施工費を安くできると共に、手摺りの外観形状に独自性を発揮させることができる手摺りを提供することを目的とする。
【課題を解決するための手段】
【０００５】
上記課題を解決するための手段を、後述する実施形態の参照符号を付して説明すると、請求項１に係る発明の手摺りは、ベランダなどの堰壁１１上に立設される複数の手摺支柱１と、各手摺支柱１の上端に亘って横架される手摺り笠木２とによって手摺り本体３を形成し、この手摺り本体３には各手摺支柱１の側面の上部及び下部に亘って夫々一連の上部取付枠４及び下部取付枠５を並設し、これら上部及び下部取付枠４，５に、一定の幅寸法に形成した面格子ユニット６，７及び又は面板ユニット８，９，１０を外付け式に取り付けるようにしてなることを特徴とする。
【０００６】
請求項２は、請求項１に記載の手摺りにおいて、各ユニット６〜１０は、手摺り本体３側に上部取付枠４及び下部取付枠５としての上部溝枠４Ａ及び下部溝枠５Ａを並設し、当該ユニット６〜１０の内側面の上部及び下部に夫々取り付けた掛止部材１２，１３を、手摺り本体３側の上部溝枠４Ａ及び下部溝枠５Ａに検鈍式に掛止させることによって、上部取付枠４及び下部取付枠５に外付け式に取り付けられるようになっていることを特徴とする。
【０００７】
請求項３は、請求項１に記載の手摺りにおいて、各ユニット６〜１０は、手摺り本体３側に上部取付枠４及び下部取付枠５としての上部ガイドレール４Ｂ及び下部ガイドレール５Ｂを並設し、各ガイドレール４Ｂ，５Ｂには複数のスライド部材１５を回転不能でスライド可能に収納すると共に、各スライド部材１５に一体的に取り付けたボルト１６を屋外側に突出しておいて、当該ユニット６〜１０の上部及び下部に夫々設けたボルト挿通孔１７に各スライド部材１５のボルト１６を挿通してナット１８で締め付けることにより、上部取付枠４及び下部取付枠５に外付け式に取り付けられるようになっていることを特徴とする。
【０００８】
請求項４は、請求項１に記載の手摺りにおいて、各ユニット６〜１０は、手摺り本体３側に上部取付枠４及び下部取付枠５としての上部ガイドレール４Ｃ及び下部ガイドレール５Ｃを並設し、当該ユニット６〜１０の内側面の上部及び下部に夫々少なくとも２つずつ設けた駒片１９を、ガイドレール４Ｃ，５Ｃに転動自在又は摺動自在に嵌め込むことにより、上部取付枠４及び下部取付枠５に外付け式に取り付けられるようになっていることを特徴とする。
【０００９】
請求項５は、請求項１〜４の何れかに記載の手摺りにおいて、手摺り本体３の各手摺支柱１の内側面の上部及び下部に亘って夫々一連のガイドレール２２，２３を並設する一方、手摺り本体３の手摺り笠木２と天井部との間の開口部を部分的に遮蔽する遮蔽手段２０を有する可動枠体２１を一つ又は複数設け、可動枠体２１には、手摺り側の上下両ガイドレール２２，２３に対し夫々転動自在又は摺動自在に嵌合支持される駒片２４を、下部側とその上部側とに夫々少なくとも２つずつ設け、これらの駒片２４を介して可動枠体２１を上下両ガイドレール２２，２３に沿って移動自在としてなることを特徴とする。
【発明の効果】
【００１０】
上記解決手段による発明の効果を、後述する実施形態の参照符号を付して説明すると、請求項１に係る発明によれば、堰壁１１上に立設される複数の手摺支柱１と、各手摺支柱１の上端に亘って横架される手摺り笠木２とにより手摺り本体３を形成し、各手摺支柱１側面の上部及び下部に亘って夫々一連の上部取付枠４及び下部取付枠５を並設し、これら上部及び下部取付枠４，５に、一定の幅寸法に形成した面格子ユニット６，７及び又は面板ユニット８，９，１０を外付け式に取り付けるようにするから、手摺りの設置が簡単容易となり、施工費を安くすることができ、また面格子ユニット６，７や面板ユニット８，９，１０は幅寸法を一定に形成するだけで、夫々の構造は任意とすることができるので、手摺りの外観形状が画一的とならず、多いに独自性を発揮させることができる。
【００１１】
請求項２に係る発明のように、手摺り本体３側に上部取付枠４及び下部取付枠５としての上部溝枠４Ａ及び下部溝枠５Ａを並設し、ユニット６〜１０の内側面の上部及び下部に夫々取り付けた掛止部材１２，１３を、手摺り本体３側の上部溝枠４Ａ及び下部溝枠５Ａに検鈍式に掛止させることにより、各ユニット６〜１０を上部取付枠４及び下部取付枠５に外付け式に取り付けるようにすれば、ユニット６〜１０を上部取付枠４及び下部取付枠５に対して屋内側のどの位置からも取り付けることができるから、取付作業が非常に容易となって、施工能率の大幅な向上を図ることができる。また、ユニット６〜１０のうちの一部が破損したりして取り替える場合に、その一部のユニットの取替えを簡単容易に行える大きな利点を有する。
【００１２】
請求項３に係る発明によれば、ガイドレール４Ｂ，５Ｂ内にボルト１６付きのスライド部材１５を複数個挿入しておいて、各スライド部材１５から突出するボルト１６を、ユニット６〜１０の上部及び下部に夫々設けたボルト挿通孔１７に挿入してナット１８を螺合すればよいから、取付作業が非常に簡単で、施工能率を大幅に向上できる。
【００１３】
請求項４に係る発明によれば、各ユニット６〜１０の内側面の上部及び下部に夫々駒片１９を取り付けておいて、これらの駒片１９を上部ガイドレール４Ｃ及び下部ガイドレール５Ｃに対し夫々の一端側から挿入すればよいから、取付作業が簡単容易で、施工能率の大幅な向上を図ることができる。
【００１４】
請求項５に係る発明のように、遮蔽手段２０を備えた可動枠体２１を手摺りの屋内側に設けることによって、西向きのベランダでは、午後になると、西日の照りつけが厳しく、夏場はかなり暑くなるが、その西日が入る方向に応じて、可動枠体２１を移動させることにより、この可動枠体２１と共に移動する遮蔽手段２０によって日差しを有効に遮断することができる。また、この遮蔽手段２０によって、外部からの視線を遮蔽するので、遮蔽手段２０の内側が他人の視野に入らずにプライバシーを十分に保護することができる。
【発明を実施するための最良の形態】
【００１５】
以下に本発明の好適な一実施形態を図面にもとづいて説明すると、図１の(a) は本発明に係るベランダの手摺りを屋外側から見た正面図、(b) は(a) のＸ−Ｘ線断面図であり、図２の(a) は図１の(a) のＹ−Ｙ線断面図、(b) は図１の(a) のＺ−Ｚ線断面図である。図３の(a) は堰壁上に手摺り本体を形成した状態の正面図であり、(b) は側面図である。ここに示す手摺りは、マンションやアパートなど多数階からなる集合住宅のベランダの堰壁１１上に立設される複数の手摺支柱１と、各手摺支柱１の上端に亘って横架される手摺り笠木２とによって手摺り本体３を形成し、この手摺り本体３には各手摺支柱１の屋外側面の上部及び下部に亘って夫々一連の上部取付枠４及び下部取付枠５を並設し、これら上部及び下部取付枠４，５に一定の幅寸法に形成した面格子ユニット６，７及び面板ユニット８，９，１０を外付け式に取り付けることによって形成される。
【００１６】
手摺り本体３を形成する手摺支柱１及び手摺り笠木２は夫々アルミ押出形材からなり、また上部取付枠４及び下部取付枠５も夫々アルミ押出形材からなる。なお、この実施形態では、図３の(a) ，(b) に示すように、手摺り本体３を、複数の手摺支柱１と、各手摺支柱１の上端に亘って横架される手摺り笠木２とによって形成しているが、手摺支柱１どうしを連結する横枠を加えて手摺り本体３を形成してもよく、またこの横枠は、手摺支柱１の下部側どうしのみを連結するものでもよく、あるいは手摺支柱１の上部側どうし及び下部側どうしを連結するものでもよい。
【００１７】
面格子ユニット６は、図１及び図２に概略的に図示されているように、縦格子部材６ａを上下の横桟６ｂに一定間隔で架け渡して形成されたもので、各縦格子部材６ａ及び横桟６ｂも夫々アルミ押出形材からなる。この面格子ユニット６では縦格子部材を採用しているが、横格子部材を使用してもよい。面格子ユニット７は、鋳物で形成されていて一般にアイアンレースと呼ばれるレース模様の鉄柵で、鉄柵本体７ａと、この鉄柵本体７ａを保持する周枠７ｂとからなる。
【００１８】
面板ユニット８は、表面に模様や図柄などをプリントした金属製面板８ａと、この面板８ａを保持する周枠８ｂとからなり、また面板ユニット９は、絵や模様を打ち抜いた金属製面板９ａと、この面板９ａを保持する周枠９ｂとからなる。また面板ユニット１０は、サイディングボード１０ａと周枠１０ｂとからなる。なお、面格子ユニット及び面板ユニットは、この実施形態に示したユニット６〜１０以外に、任意の形状・構造のものを使用することができる。
【００１９】
上記のような構成の手摺りをベランダに設置するには、先ず図３の(a) ，(b) に示すように、ベランダの堰壁１１上に所要本数の手摺支柱１を所定間隔おきに立設し、各手摺支柱１の上端に亘って手摺り笠木２を横架することによって手摺り本体３を形成する。次いで、図４の(a) ，(b) に示すように、手摺り本体３を形成する各手摺支柱１の屋外側面の上部及び下部に亘って夫々一連の上部取付枠４及び下部取付枠５を並設し、しかしてこの上部及び下部取付枠４，５に、一定の幅寸法に形成した面格子ユニット６，７及び面板ユニット８，９，１０を外付け式に取り付けることにより、図１の(a) ，(b) に示すような手摺りとなる。
【００２０】
次に、面格子ユニット６，７及び面板ユニット８，９，１０を、手摺り本体３に並設した上部及び下部取付枠４，５に対し外付け式に取り付ける種々の方法について図５〜図８により説明する。
【００２１】
先ず図５に示す実施形態においては、手摺り本体３側に上部取付枠４及び下部取付枠５としての上部溝枠４Ａ及び下部溝枠５Ａを並設し、当該ユニット６〜１０の内側面の上部及び下部に夫々取り付けた掛止部材１２，１３を、手摺り本体３側の上部溝枠４Ａ及び下部溝枠５Ａに検鈍式に掛止させることによって、ユニット６〜１０を上部取付枠４及び下部取付枠５に外付け式に取り付ける。この取付方法によれば、ユニット６〜１０を上部取付枠４及び下部取付枠５に対して屋内側のどの位置からも取り付けることができるため、取付作業が非常に容易となって、施工能率の大幅な向上を図ることができる一方、ユニット６〜１０のうちの一部が破損したりして取替えが必要な場合には、その一部のユニットの取替えを簡単容易に行える大きな利点がある。
【００２２】
この実施形態の場合、ユニット６〜１０側の掛止部材１２，１３を手摺り本体３側の上部溝枠４Ａ及び下部溝枠５Ａに掛止させるだけでは、ユニット６〜１０がガタつくため、例えば、溝枠４Ａ，溝枠５Ａの屋内側から固定用ネジをねじ込んで、溝枠４Ａ，溝枠５Ａ内に掛止された掛止部材１２，１３に押し付けるようにすることで、ユニット６〜１０のガタつきを防止することができる。また、この実施形態の場合、上部溝枠４Ａには雨水が直接入り込むため、図５に仮想線で示すようなカバー１４を取り付けるとよい。下部溝枠５Ａにも適当なカバーを取り付けるのが好ましい。
【００２３】
図６に示す実施形態は、手摺り本体３側に上部取付枠４及び下部取付枠５としての上部ガイドレール４Ｂ及び下部ガイドレール５Ｂを並設し、各ガイドレール４Ｂ，５Ｂには複数のスライド部材１５を回転不能でスライド可能に収納すると共に、各スライド部材１５に一体的に取り付けたボルト１６を屋外側に突出させておいて、当該ユニット６〜１０の上部及び下部に夫々設けたボルト挿通孔１７に各スライド部材１５のボルト１６を挿通してナット１８で締め付けることにより、ユニット６〜１０を上部取付枠４及び下部取付枠５に外付け式に取り付けるようにしたものである。
【００２４】
この実施形態の取付方法に使用するスライド部材１５を図７に示す。図７の(a) はボルト１６付きのスライド部材１５を斜め後ろから見た斜視図、(b) はスライド部材１５を斜め前から見た斜視図、(c) はスライド部材１５の使用状態を示す。このスライド部材１５は、リップ付き溝形材からなる上部及び下部ガイドレール４Ｂ，５Ｂのリップ５ｏ，５ｏに係合する係合部１５ｏ，１５ｏを有し、この係合部１５ｏ，１５ｏを上部及び下部ガイドレール４Ｂ，５Ｂのリップ５ｏ，５ｏに係合させた状態で、上部及び下部ガイドレール４Ｂ，５Ｂ内をスライドできるようになっ ている。なお、図７の(c) には下部ガイドレール５Ｂを示しているが、上部ガイドレール４Ｂも同じ断面形状である。ボルト１６は、その頭１６ｏをスライド部材１５表面側の凹所１５ａ内に埋め込んでかしめることによって、スライド部材１５と一体としたものである。
【００２５】
この実施形態の取付方法によれば、ガイドレール４Ｂ，５Ｂ内にボルト１６付きのスライド部材１５を複数個挿入しておいて、各スライド部材１５から突出するボルト１６を、ユニット６〜１０の上部及び下部に夫々設けたボルト挿通孔１７に挿入してナット１８を螺合すればよいから、取付作業が非常に簡単で、施工能率の大幅な向上を図ることができる。
【００２６】
図８に示す実施形態は、手摺り本体３側に上部取付枠４及び下部取付枠５としての上部ガイドレール４Ｃ及び下部ガイドレール５Ｃを並設し、当該ユニット６〜１０の内側面の上部及び下部に夫々少なくとも２つずつ設けた駒片１９を、ガイドレールに転動自在又は摺動自在に嵌め込むことによって、ユニット６〜１０を上部取付枠４及び下部取付枠５に外付け式に取り付けらるようにしたものである。
【００２７】
この実施形態の取付方法によれば、各ユニット６〜１０の内側面の上部及び下部に夫々駒片１９を取り付けておいて、これらの駒片１９を上部ガイドレール４Ｃ及び下部ガイドレール５Ｃに対し夫々の一端側から挿入すればよいから、取付作業が非常に簡単で、施工能率の大幅な向上を図ることができる。
【００２８】
また、図５〜図８の実施形態では、手摺りとベランダの天井部との間の開口部を必要な時に必要な部分のみ遮蔽する遮蔽手段２０を有する可動枠体２１を手摺りの室内側に設けており、その可動枠体２０を図９に示す。
【００２９】
即ち、図５〜図８に示すように、手摺り本体３の各手摺支柱１の内側面の上部及び下部に亘って夫々一連のガイドレール２２，２３を並設する一方、手摺り本体３の手摺り笠木２と天井部（図示は省略するが、上階側のベランダスラブに相当する）との間の開口部を部分的に遮蔽する遮蔽手段２０を有する可動枠体２１を、図１の(a) に示すように例えば二つ設け、各可動枠体２１に、手摺り側の上下両ガイドレール２２，２３に対し夫々転動自在又は摺動自在に嵌合支持される駒片としてのローラー２４を、下部側とその上部側とに夫々少なくとも２つずつ設け、これらの駒片２４を介して可動枠体２１を上下両ガイドレール２２，２３に沿って移動できるようにしている。  
【００３０】
可動枠体２１は、図９の(a) ，(b) に示すように、左右２本の立枠２５，２５と、両立枠２５，２５の上端部どうしをつなぐ上部横枠２６と、両立枠２５，２５の下端部どうしをつなぐ下部横枠２７と、両立枠２５，２５の中間部どうしをつなぐ中間部横枠２８とからなるもので、左右立枠２５，２５と上部上部横枠２６と中間部横枠２８との間に、遮蔽手段２０が設けられ、そして各立枠２５の下端部とその上方所要部とにローラー２４（駒片）が軸着されている。
【００３１】
遮蔽手段２０は、図９の(a) ，(b) 、図１の(a) の左側及び図２の(b) に示すように、両立枠２５，２５に横長のルーバー２９を上下方向一定ピッチで一定の傾斜角度に横架してなる固定ルーバー面格子からなるもので、外部からの視線を遮蔽し、直射日光を遮断することができながら、通風を可能としている。なお、図９には、各ルーバー２９が水平に位置する横格子であるが、図１の(a) の右側に示すように各ルーバー３０が垂直に位置する縦格子からなる遮蔽手段２０でもよい。この図１の(a) の右側に示す縦格子からなる遮蔽手段２０は、図１の(b) に示すように、ユニット６〜１０と面一の状態にするために、可動枠体２１の上部に張出部材３１を介して設けられている。
【００３２】
上記のように手摺りと天井部との間の開口部を部分的に遮蔽する遮蔽手段２０を備えた可動枠体２１は、左右立枠２５，２５の下端部とその上方所要部に軸着された４個のローラー２４を手摺り側の上下ガイドレール２２，２３に転動自在に嵌合支持させることにより、これらのガイドレール２２，２３に沿って自由に移動させることができる。
【００３３】
この実施形態においては、図１の(a) に示すように、各戸内のベランダの手摺りには、遮蔽手段２０を備えた２つの可動枠体２１が、手摺り側の上下ガイドレール２２，２３に嵌合支持された夫々４個のローラー２４を介して両ガイドレール２２，２３に沿って移動できるようになっている。
【００３４】
上記のように遮蔽手段２０を備えた可動枠体２１を手摺りの屋内側に設けた場合には、西向きのベランダでは、午後になると、西日の照りつけが厳しく、夏場はかなり暑くなるが、その西日が入る方向に応じて、可動枠体２１を移動させることにより、この可動枠体１４と共に移動する遮蔽手段２０のルーバー面格子によって日差しを有効に遮断することができる。また、この遮蔽手段２０のルーバー面格子によって、外部からの視線を遮蔽するので、遮蔽手段２０の内側が他人の視野に入らずにプライバシーを十分に保護することができる。
【００３５】
この実施形態では、遮蔽手段２０として固定ルーバー面格子を例示したが、各ルーバーが開閉する可動ルーバー面格子を採用してもよい。また、遮蔽手段２０としては、開閉式のカーテンやブラインドあるいはシャッターを使用することができる他に、遮光性のプラスチック板やガラス板などを使用できるし、またパンチングプレート、ネット状部材などを使用することができる。
【００３６】
以上説明した構成の手摺りによれば、面格子ユニット６，７や面板ユニット８〜１０として、多種多様な形状・構造のものから、使用者の好みに応じた任意に必要とするものを使用できるから、各戸のベランダの手摺りが画一化されることがなく、手摺りの外観形状に独自性を発揮させることができる。しかも、この面格子ユニット６，７や面板ユニット８〜１０は、上部取付枠４及び下部取付枠５に対する取付けが簡単であるから、手摺りの設置が容易で、施工費を安くすることが可能となる。
【図面の簡単な説明】
【００３７】
【図１】(a) は本発明に係るベランダの手摺りを屋外側から見た正面図、(b) は(a) のＸ−Ｘ線断面図である。
【図２】(a) は図１の(a) のＹ−Ｙ線断面図、(b) は図１の(a) のＺ−Ｚ線断面図である。
【図３】手摺りの設置方法を示すもので、(a) は堰壁上に手摺り本体を形成した状態の正面図、(b) は側面図である。
【図４】(a) は手摺り本体に上部及び下部取付枠を取り付けた状態の正面図、(b) は側面断面図である。
【図５】ユニットを手摺り本体側の上部及び下部取付枠に外付け式に取り付ける方法の一実施形態を示す側面断面図である。
【図６】ユニットを手摺り本体側の上部及び下部取付枠に外付け式に取り付ける方法の他の実施形態を示す側面断面図である。
【図７】(a) はボルト付きスライド部材を斜め後ろから見た斜視図、(b) はスライド部材を斜め前から見た斜視図、(c) はスライド部材の取付状態を示す断面図である。
【図８】ユニットを手摺り本体側の上部及び下部取付枠に外付け式に取り付ける方法の更に他の実施形態を示す側面断面図である。
【図９】(a) は遮蔽手段を備えた可動枠体の正面図、(b) は(a) のＶ−Ｖ線断面図である。
【符号の説明】
【００３８】
１            手摺支柱
２            手摺り笠木
３            手摺り本体
４            上部取付枠
５            下部取付枠
６，７        面格子ユニット
８，９、１０  面板ユニット
１１          ベランダの堰壁
１２，１３    掛止部材
１５          スライド部材
１６          ボルド
１８          ナット
１９          駒片
２０          遮蔽手段
２１          可動枠体
２２，２３    ガイドレール
２４          駒片
【図１】
2010090558.tif 000003
【図２】
2010090558.tif 000004
【図３】
2010090558.tif 000005
【図４】
2010090558.tif 000006
【図５】
2010090558.tif 000007
【図６】
2010090558.tif 000008
【図７】
2010090558.tif 000009
【図８】
2010090558.tif 000010
【図９】
2010090558.tif 000011